(57)【要約】【課題】  複数台のプロジェクタを用いて、連続する１つの画像を表示する方法は、それぞれのプロジェクタが同一の画像データを受けた後、各プロジェクタが、この画像データから自身が投写する領域を抽出すると共に、重畳して投写する領域の画像をそれぞれ処理していた。【解決手段】  データ生成装置１００は、入力された第１の画像１９０を、各プロジェクタ２００で投写する小画像１９１に分割する画像分割部１３０と、これらのプロジェクタ２００が重畳して投写する領域の画像１９２を抽出した後、この領域の画像１９２の輝度を調整すると共に、各小画像１９１に前記領域の画像１９２を合成する画像加工処理部１４０と、この領域の画像１９２を含む小画像１９４が同一のフレーム上に並べられた第２の画像１９６を生成する画像生成部１５０と、この第２の画像１９６を示す画像データを、複数のプロジェクタ２００に送信する送信部１８０とを備える。【選択図】      図３
2006109035.tif 000002
【特許請求の範囲】
【請求項１】
複数台の投写装置を用いて、１つの画像を連携して投写するための画像データを生成するデータ生成装置であって、
入力されたデジタル画像データが示す第１の画像を、それぞれの前記投写装置で投写する小画像に分割する画像分割部と、
それぞれの前記投写装置で重畳して投写する領域の画像の輝度を調整すると共に、
それぞれの前記小画像に前記領域の画像を合成する画像加工処理部と、
前記領域の画像を含む前記小画像が同一のフレーム上に並べられた第２の画像を生成する画像生成部と、
前記第２の画像を示す画像データを、複数の投写装置に略同時に送信する送信部とを備えることを特徴とするデータ生成装置。
【請求項２】
請求項１に記載のデータ生成装置において、
前記画像加工処理部は、
前記第１の画像から前記領域の画像を抽出する画像抽出部と、
互いに隣接する前記小画像が、前記領域の画像を重複して含むべく、ぞれぞれの前記小画像に、前記領域の画像の少なくとも一部を付加して合成する画像合成部と、
前記領域の画像の輝度を調整する輝度調整部とを含むことを特徴とするデータ生成装置。
【請求項３】
請求項２に記載のデータ生成装置において、
前記輝度調整部は、
前記領域の画像を含む前記小画像を重畳して投写することで、前記第１の画像を復元する場合における前記領域の輝度分布を、
前記デジタル画像データが示す第１の画像の中における前記領域の輝度分布に略一致させるべく、前記領域の画像の輝度を調整することを特徴とするデータ生成装置。
【請求項４】
入力された前記デジタルデータが符号化されている場合に、前記デジタルデータを復号化する復号化部を更に備えることを特徴とする請求項１乃至３のいずれか一項に記載のデータ生成装置。
【請求項５】
前記第２の画像を示す画像データを所定の方式により符号化する符号化部を更に備えることを特徴とする請求項１乃至４のいずれか一項に記載のデータ生成装置。
【請求項６】
前記第２の画像の内、それぞれの前記投写装置が投写する領域に関する情報を生成する投写情報生成部を更に備え、
前記情報は、前記送信手段からそれぞれの前記投写装置に送信されることを特徴とする請求項１乃至５のいずれか一項に記載のデータ生成装置。
【請求項７】
データ生成装置と、複数台のプロジェクタとを含み、
前記データ生成装置が生成したデジタル画像データに従い、それぞれの前記プロジェクタが１つの画像を連携して投写するマルチプロジェクションシステムであって、
前記画像データは、それぞれの前記プロジェクタが投写する画像を同一のフレーム上に並べて生成された画像のデータであることを特徴とするマルチプロジェクションシステム。
【発明の詳細な説明】
【技術分野】
【０００１】
本発明は、プロジェクタのような投写装置を複数台用いて、１つの画像を連携して投写するための画像データを生成するデータ生成装置、およびマルチプロジェクションシステムに関する。
【背景技術】
【０００２】
従来、複数台のプロジェクタを用いて、連続する１つの画像を表示する方法としては、下記の特許文献１に記載されるように、複数台のプロジェクタに対して、アナログのビデオ信号による同一の画像情報を伝達すると共に、当該画像情報を受けたそれぞれのプロジェクタは、当該画像情報から、自らが表示すべき部分を抽出して表示していた。
【０００３】
【特許文献１】特開２００２−２０７２４７号公報
【発明の開示】
【発明が解決しようとする課題】
【０００４】
しかしながら、従来の方法では、同一の画像情報を示すアナログのビデオ信号が、それぞれのプロジェクタに送信されるため、複数台のプロジェクタで１つの画像を連携して投写するためには、それぞれのプロジェクタ側で、重畳して投写される領域の抽出や、その領域の輝度の分布の処理等の複雑な画像処理が必要であった。
【課題を解決するための手段】
【０００５】
上記した課題を解決するために、本発明のデータ生成装置は、複数台の投写装置を用いて、１つの画像を連携して投写するための画像データを生成するデータ生成装置であって、入力されたデジタル画像データが示す第１の画像を、それぞれの前記投写装置で投写する小画像に分割する画像分割部と、それぞれの前記投写装置で重畳して投写する領域の画像の輝度を調整すると共に、それぞれの前記小画像に前記領域の画像を合成する画像加工処理部と、前記領域の画像を含む前記小画像が同一のフレーム上に並べられた第２の画像を生成する画像生成部と、前記第２の画像を示す画像データを、複数の投写装置に略同時に送信する送信部とを備えることを特徴とする。
【０００６】
本発明のデータ生成装置によれば、入力されたデジタル画像データが示す画像は、それぞれの投写装置が投写する小画像に分割される。一方、前記画像の中から、それぞれの投写装置が重畳して投写する領域の画像が抽出されると共に、この領域の画像の輝度が調整されて、それぞれの小画像と合成される。次いで、これらの小画像を同一のフレームに並べた画像が生成され、それぞれの投写装置に送られる。従って、重畳して投写する領域の画像に関する処理は、データ生成装置側で一括して処理するため、それぞれの投写装置側で個々に処理する場合に比べて、画像の処理が容易になる。
【０００７】
上記した本発明のデータ生成装置では、前記画像加工処理部は、前記第１の画像から前記領域の画像を抽出する画像抽出部と、互いに隣接する前記小画像が、前記領域の画像を重複して含むべく、ぞれぞれの前記小画像に、前記領域の画像の少なくとも一部を付加して合成する画像合成部と、前記領域の画像の輝度を調整する輝度調整部とを含むことが好ましい。
【０００８】
また、上記した本発明のデータ生成装置では、前記輝度調整部は、前記領域の画像を含む前記小画像を重畳して投写することで、前記第１の画像を復元する場合に想定される前記領域の輝度分布を、前記デジタル画像データが示す第１の画像の中における前記領域の輝度分布に略一致させるべく、前記領域の画像の輝度を調整することが好ましい。
【０００９】
これらの発明によれば、それぞれの投写装置が重畳して投写する領域の画像の輝度は、輝度調整部により、入力した画像データが示す画像の輝度と略一致するように調整される。従って、それぞれの小画像の境界線を目立たないように処理できるため、あたかも単一の画像が投写されているような美しい画像を投写できる。
【００１０】
上記した本発明のデータ生成装置は、入力された前記デジタルデータが符号化されている場合に、前記デジタルデータを復号化する復号化部を更に備えることが好ましい。
【００１１】
また、上記した本発明のデータ生成装置では、前記第２の画像を示す画像データを、所定の方式により符号化する符号化部を更に備えることが好ましい。
【００１２】
これらの発明によれば、このデータ生成装置に対して入出力される画像のデータを符号化することにより、データ量を圧縮できるため、大容量の画像のデータを高速に授受できる。
【００１３】
上記した本発明のデータ生成装置は、前記第２の画像の中で、前記複数の投写装置が投写する領域に関する情報を生成する投写情報生成部を更に備え、前記情報は、前記送信手段から前記複数の投写装置に送信されることが好ましい。
【００１４】
この発明によれば、複数の投写装置が投写する領域に関する情報をデータ生成装置で生成すると共に、この情報をそれぞれの投写装置に送るため、それぞれの投写装置は、この情報を参照して画像を投写できる。
【００１５】
上記した課題を解決するために、本発明のマルチプロジェクションシステムは、データ生成装置と、複数台のプロジェクタとを含み、前記データ生成装置が生成したデジタル画像データに従い、それぞれの前記プロジェクタが１つの画像を連携して投写するマルチプロジェクションシステムであって、前記画像データは、それぞれの前記プロジェクタが投写する画像を同一のフレーム上に並べて生成された画像のデータであることを特徴とする。
【００１６】
本発明のマルチプロジェクションシステムによれば、それぞれの投写装置に送られる画像データには、それぞれの投写装置が投写すべき画像が既に含まれているため、それぞれの投写装置では、複雑な画像処理をすることなく、それぞれの画像を選択して投写することで、１つの大きな画像をスクリーン上に形成できる。
【発明を実施するための最良の形態】
【００１７】
以下、本発明の実施形態を図面に基いて説明する。
（実施形態）
【００１８】
図１は、本実施形態に係るマルチプロジェクションシステム１の外観を示す斜視図である。このマルチプロジェクションシステム１は、データ生成装置１００と、複数のプロジェクタ２００とを備えて構成される。
データ生成装置１００は、入力したコンテンツを読み込み、複数のプロジェクタで表示する画像データを生成する。このデータ生成装置１００は、外観視、直方体形状で、一方の側面には、入力端子１１３およびＤＶＤドライブ１１６を備え、他方の側面には、出力端子１８４を備える。
入力端子１１３は、データ生成装置１００の内部で通信部１１２（図２）と接続されている。従って、この入力端子１１３をインターネット１１４と接続することで、インターネット１１４を介して、コンテンツのデータを受信すると共に、データ生成装置１００に入力できる。
さらに、ＤＶＤドライブ１１６は、ＤＶＤディスク１１８に記録されたコンテンツのデータを読み込んでデータ生成装置１００に入力できる。
また、出力端子１８４は、データ生成装置１００の出力部１８２（図２）と接続されている。従って、この出力端子１８４をイントラネット１０８に接続することで、データ生成装置１００が生成した画像データ等をイントラネット１０８を介して送信できる。
【００１９】
プロジェクタ２００は、本実施形態においては、上下の方向および左右の方向にそれぞれ２台ずつ配置して、合計４台で構成される。即ち、投写する面の側から見て、右下に配置されるプロジェクタ２００Ａと、左下に配置されるプロジェクタ２００Ｂと、右上に配置されるプロジェクタ２００Ｃと、左上に配置されるプロジェクタ２００Ｄとが配置される。これらのプロジェクタ２００Ａ〜２００Ｄは、イントラネット１０８を介してネットワークに接続されているため、データ生成装置１００が生成した画像データ等を受信できることに加えて、受信した画像データをそれぞれ投写できる。
なお、本実施形態におけるプロジェクタ２００は、投写された画像をプロジェクタ２００側から見るような配置を採用したが、プロジェクションテレビのように、背面投写する配置も採用できる。
また、これらのプロジェクタ２００Ａ〜２００Ｄは、それぞれ投写される投写画像１０Ａ〜１０Ｄが、それぞれ隣接する境界近傍の所定の領域１５で重畳するように配置されている。本実施形態では、この所定の領域１５は、略十字の形状になり、この所定の領域１５の中心部１７は、全てのプロジェクタ２００Ａ〜２００Ｄから重畳して投写される。
なお、投写された所定の領域は、後述する輝度調整部１４６（図３）により輝度の分布が調整され、投写画像１０Ａ〜１０Ｄのそれぞれの境界部分は、目立たないように調整されている。
【００２０】
（データ生成装置のハードウェア構成）
次に、データ生成装置１００のハードウェアについて説明する。図２は、このデータ生成装置１００のハードウェアの構成を示す図である。このデータ生成装置１００のハードウェアは、ＣＰＵ（Central Processing Unit）１０１と、ＲＯＭ（Read Only Memory）１０３と、ＲＡＭ（Random Access Memory）１０４と、ＨＤＤ（Hard Disk Drive）１０５と、ビデオカード１０２と、入出力Ｉ／Ｆ（Inter Face）１０６とを備える。加えて、これらのハードウェア資源は、バス１０７で互いに接続されている。
【００２１】
ＣＰＵ１０１は、データ生成装置１００の制御手段を構成し、ＲＯＭ１０３に格納されているプログラムを必要に応じて読み出し、当該読み出したプログラムをＲＡＭ１０４やＨＤＤ１０５に展開して記憶する。加えて、このＣＰＵ１０１は、ＲＡＭ１０４やＨＤＤ１０５に展開されている各種のプログラムを、必要に応じて読み出し実行することにより、データ生成装置１００の各ハードウェア資源を制御するように構成されている。
ビデオカード１０２は、画像描画のためのＬＳＩチップ、画面イメージを保持するメモリ、アナログ信号をデジタル信号に変換するＡ／Ｄ変換器等を備え、ＣＰＵ１０１からの指示に応じて、プロジェクタ２００に供給するデジタル動画信号を生成する。
入出力Ｉ／Ｆ１０６には、通信部１１２と、ＤＶＤドライブ１１６と、出力部１８２とに加えて、図示を略すがキーボード等の入出力装置が接続されている。
通信部１１２は、ネットワークカードを採用できるため、電話回線やＬＡＮ（Local Area Network）等を介してインターネットに接続できる。また、出力部１８２も、ネットワークカードを採用できるため、このネットワークカードを介して、データ生成装置１００が生成したデータを外部に出力できる。
なお、上記したハードウェア構成を備える装置としては、パーソナルコンピュータ、サーバマシン、およびワークステーション等を採用できる。
【００２２】
（データ生成装置の機能構成）
次に、データ生成装置１００の機能について説明する。図３は、データ生成装置１００の機能構成を示す図である。このデータ生成装置１００は、データ入力部１１０と、復号化部１２０と、画像分割部１３０と、画像加工処理部１４０と、画像生成部１５０と、符号化部１６０と、投写情報生成部１７０と、送信部１８０とを備える。
また、画像加工処理部１４０は、画像合成部１４２と、画像抽出部１４４と、輝度調整部１４６とを有する。
ここで、図４は、データ生成装置１００で生成されるデータ構成を示す図であり、この図も参照して説明する。
データ入力部１１０は、前記した通信部１１２やＤＶＤドライブ１１６で構成され、外部からコンテンツのデジタルデータを入力して、復号化部１２０に送る。
復号化部１２０は、送られたコンテンツのデジタルデータを必要に応じて復号する。たとえば、コンテンツデータがＭＰＥＧ（Moving Picture Coding Experts Group）の規格で圧縮されたデジタル動画データの場合、この規格に従ってコンテンツデータを伸長することで、時系列的に連続したフレーム画像で構成されるデジタル動画データが得られる。この復号化部１２０で復号されたデジタル動画データは、画像分割部１３０および画像抽出部１４４に送られる。
【００２３】
画像分割部１３０は、前記デジタル動画データを構成するフレーム画像１９０（図４）を、マルチプロジェクションシステム１を構成するそれぞれのプロジェクタ２００Ａ〜２００Ｄで投写するフレーム画像１９１に分割する。本実施形態におけるマルチプロジェクションシステム１は、前記した４台のプロジェクタ２００で構成されるため、画像分割部１３０は、フレーム画像１９０を、プロジェクタ２００の配置に合わせて４分割する。即ち、フレーム画像１９０は、プロジェクタ２００Ａで投写する分割されたフレーム画像１９１Ａ、プロジェクタ２００Ｂで投写する分割されたフレーム画像１９１Ｂ、プロジェクタ２００Ｃで投写する分割されたフレーム画像１９１Ｃ、プロジェクタ２００Ｄで投写する分割されたフレーム画像１９１Ｄに分割される。続いて、４分割されたフレーム画像１９１Ａ〜１９１Ｄ（図４では、代表して符号１９１Ｂで示す。）は、それぞれ画像合成部１４２に送られる。なお、構成するプロジェクタの数および、それぞれのプロジェクタ２００Ａ〜２００Ｄが配置された位置関係等の情報は、使用者により予めデータ生成装置１００に入力されると共に、ＨＤＤ１０５の所定の領域に記憶される。
画像抽出部１４４は、デジタル動画データにより形成されるフレーム画像１９０において、それぞれのプロジェクタ２００Ａ〜２００Ｄが重畳して投写する重合部の画像１９２を抽出する。この重合部の画像１９２は、それぞれのプロジェクタ２００Ａ〜２００Ｄが配置された位置関係に基き、重畳して投写される領域を演算により算出することで抽出できる。また、抽出された重合部の画像１９２は、画像合成部１４２に送られる。
【００２４】
画像合成部１４２は、画像分割部１３０から送られる４分割されたフレーム画像１９１Ａ〜１９１Ｄのそれぞれの領域に対して、前記重合部の画像１９２の一部を合成することで、それぞれのプロジェクタ２００Ａ〜２００Ｄが投写する画像１９４Ａ〜１９４Ｄを生成する。詳述すると、プロジェクタ２００Ｂの投写画像１９４Ｂは、プロジェクタ２００Ｂで投写する分割されたフレーム画像１９１Ｂに対して、重合部の画像１９２を合成した後、このプロジェクタ２００Ｂが投写可能な範囲のみを抽出することにより生成される。また、この画像合成部１４２で合成されたそれぞれの画像１９４Ａ〜１９４Ｄは、輝度調整部１４６に送られる。
輝度調整部１４６は、プロジェクタ２００Ａ〜２００Ｄが、それぞれの前記画像１９４Ａ〜１９４Ｄを投写した際、重合部の画像１９２近傍のつなぎ目が目立たない様に、それぞれの前記画像１９４Ａ〜１９４Ｄが有する重合部の画像１９２の輝度を適切に調整する。輝度の調整については、後述する。輝度が調整された前記画像１９４Ａ〜１９４Ｄは、画像生成部１５０に送られる。
画像生成部１５０は、輝度が調整された前記画像１９４Ａ〜１９４Ｄを並べて、１つに合成された合成フレーム画像１９６を生成する。即ち、この合成フレーム画像１９６は、それぞれのプロジェクタ２００Ａ〜２００Ｄが投写する画像１９４Ａ〜１９４Ｄを、重畳すること無く、フレーム画像１９０と同じ位相に並べて生成される。また、生成された合成フレーム画像１９６は、符号化部１６０と、投写情報生成部１７０に送られる。
【００２５】
符号化部１６０は、画像生成部１５０で生成した合成フレーム画像１９６が時系列的に連続して成るデジタル動画データを、前記ＭＰＥＧの規格で圧縮する。加えて、圧縮されたデジタル動画データは、送信部１８０に送られる。
投写情報生成部１７０は、画像生成部１５０が生成した合成フレーム画像１９６の中から、それぞれのプロジェクタ２００Ａ〜２００Ｄが投写する領域を示す投写位置に関する情報を生成する。また、生成された情報は、送信部１８０に送信される。
送信部１８０は、圧縮されたデジタル動画データおよび、投写位置に関する情報を、それぞれのプロジェクタ２００Ａ〜２００Ｄに同時送信する。ここで、同時送信の方法としては、ネットワークを利用したブロードキャストやマルチキャストといった方法を採用することで、ネットワークのトラフィックを圧迫することなく、効率的に配信できる。
なお、上記した各機能は、ＣＰＵ１０１やＲＡＭ１０４等からなるハードウェア資源と、ＲＯＭ１０３やＨＤＤ１０５に記憶されたソフトウェアとが有機的に協働することにより、それぞれの機能を実現している。
【００２６】
（プロジェクタの機能構成）
次に、プロジェクタ２００の機能について説明する。図５は、プロジェクタ２００の機能構成を示す図である。このプロジェクタ２００は、受信部２１０と、復号化部２２０と、投写信号選択部２３０と、投写制御部２４０と、光源装置２５０と、色分離光学系２６０と、液晶ライトバルブ２７０と、色合成光学系２８０と、投写レンズ２９０とを備える。
受信部２１０は、ネットワークを介してデータ生成装置１００の送信部１８０から送られる信号を受信すると共に、この信号の中から、符号化されたデジタル動画データおよび、投写位置に関する情報を分離した後、前者の符号化されたデジタル動画データを復号化部２２０に送り、後者の投写位置に関する情報を投写信号選択部２３０に送る。
復号化部２２０は、データ生成装置１００の復号化部１２０と同様に、符号化されたデジタル動画データを必要に応じて復号することに加え、Ｄ／Ａ変換によりデジタル動画データをアナログの画像信号に変換する。この復号化部２２０で復号および変換された画像信号は、投写信号選択部２３０に送られる。
投写信号選択部２３０は、投写位置に関する情報に基いて、復号化部２２０から送られる画像信号をトリミングすることで、このプロジェクタ２００で投写する領域のみを抽出する。この投写信号選択部２３０で抽出された画像信号は、投写制御部２４０に送られる。
投写制御部２４０は、投写信号選択部２３０から送られる画像信号を、液晶ライトバルブ２７０を駆動する液晶制御信号に変換して、液晶ライトバルブ２７０に送る。
【００２７】
ここで、このプロジェクタ２００の光学系の機能部について概説する。
始めに、光源装置２５０は、図示を略した放射光源としての光源ランプ、リフレクタおよびレンズアレイを備え、この光源ランプから射出された放射状の光束は、リフレクタで反射されて略平行光束となり、更にレンズアレイにより光束の強度の分布を略均一にされた後、色分離光学系２６０に向けて射出される。
色分離光学系２６０は、光源装置２５０から射出される照明光を、図示を略したダイクロイックミラーにより、それぞれ異なる波長域の３色の光、即ち、赤、緑、青の色光に分離する。
液晶ライトバルブ２７０は、例えば、ポリシリコンＴＦＴをスイッチング素子として用いたものであり、色分離光学系２６０により分離された色光毎にそれぞれ備えられ、投写制御部２４０から入力される液晶制御信号に従って、それぞれの光入射面から入射した色光を変調し、変調した光を透過光として射出する。
色合成光学系２８０は、図示を略したクロスダイクロイックプリズムにより、各色光の液晶ライトバルブ２７０から出射される各色の変調光を合成してカラー画像を表す光を射出する。
最後に、投写レンズ２９０は、色合成光学系２８０が射出した画像を、スクリーン３００に投写する。
【００２８】
以上の構成において、マルチプロジェクションシステム１で投写される投写画像１０について説明する。図６は、マルチプロジェクションシステム１で投写された投写画像１０と輝度分布を示す図である。この投写画像１０は、データ生成装置１００で生成された合成フレーム画像１９６を、４台のプロジェクタ２００Ａ〜２００Ｄでそれぞれ投写した像である。ここで、この合成フレーム画像１９６の基になるフレーム画像１９０は、輝度が略均一である一様な面を採用している。
また、投写画像１０の下方の分布グラフは、投写画像１０Ｃおよび投写画像１０ＤのＰ−Ｐ面における正規化された輝度の分布２０Ｃ，２０Ｄであり、加えて、投写画像１０の右方の分布グラフは、投写画像１０Ａおよび投写画像１０ＣのＱ−Ｑ面における正規化された輝度の分布２２Ａ，２２Ｃである。ここで、合成フレーム画像１９６の所定の領域１５内部の輝度の分布は、前記した輝度調整部１４６により、それぞれの投写画像１０Ａ〜１０Ｄの境界部分が目立たないように調整されている。即ち、前記下方の分布グラフにおいて、投写画像１０Ｃ，１０Ｄが重畳して投写する所定の領域１５内部の輝度の分布は、一方の投写画像１０Ｃの輝度と、他方の投写画像１０Ｄの輝度との和が略一定になるように調整されている。同様に、前記右方の分布グラフにおいて、投写画像１０Ａ，１０Ｃが重畳して投写する所定の領域１５内部の輝度の分布は、一方の投写画像１０Ａの輝度と、他方の投写画像１０Ｃの輝度との和が略一定になるように調整されている。
【００２９】
以上述べたような実施形態によれば、次のような効果がある。
（１）複数のプロジェクタ２００で重畳して投写される所定の領域１５の輝度の分布は、データ生成装置１００の輝度調整部１４６により略一定になるように調整されるため、プロジェクタ２００側には、特別な機能を追加する必要が無く、既存のプロジェクタを採用できる。
【００３０】
以上、本発明を図示した実施形態に基づいて説明したが、本発明は、これに限定されるものではなく、以下に述べるような変形例も想定できる。
（１）データ生成装置１００からプロジェクタ２００に送る画像のデータは、符号化されたデジタルデータに限らず、アナログ形式のビデオ信号であっても良い。
（２）複数のプロジェクタ２００が配置された位置関係の情報は、使用者が予め入力する方式に限らず、それぞれのプロジェクタ２００が備える書画カメラ等の画像入力手段により、自身の位置関係を画像処理とソフトウェアにより自動認識しても良い。
【図面の簡単な説明】
【００３１】
【図１】本実施形態に係るマルチプロジェクションシステムの外観を示す斜視図。
【図２】前記実施形態におけるデータ生成装置のハードウェアの構成を示す図。
【図３】前記実施形態におけるデータ生成装置の機能構成を示す図。
【図４】前記実施形態におけるデータ生成装置で生成されるデータ構成を示す図。
【図５】前記実施形態におけるプロジェクタの機能構成を示す図。
【図６】前記実施形態におけるマルチプロジェクションシステムで投写された投写画像と輝度分布を示す図。
【符号の説明】
【００３２】
１…マルチプロジェクションシステム、１０…投写画像、１５…所定の領域、１７…中心部、２０、２２…輝度の分布、１００…データ生成装置、１０１…ＣＰＵ、１０２…ビデオカード、１０３…ＲＯＭ、１０４…ＲＡＭ、１０５…ＨＤＤ、１０６…入出力Ｉ／Ｆ、１０７…バス、１０８…イントラネット、１１０…データ入力部、１１２…通信部、１１３…入力端子、１１４…インターネット、１１６…ＤＶＤドライブ、１１８…ＤＶＤディスク、１２０…復号化部、１３０…画像分割部、１４０…画像加工処理部、１４２…画像合成部、１４４…画像抽出部、１４６…輝度調整部、１５０…画像生成部、１６０…符号化部、１７０…投写情報生成部、１８０…送信部、１８２…出力部、１８４…出力端子、１９０…フレーム画像、１９１…分割されたフレーム画像、１９２…重合部の画像、１９４…投写画像、１９６…合成フレーム画像、２００…プロジェクタ、２１０…受信部、２２０…復号化部、２３０…投写信号選択部、２４０…投写制御部、２５０…光源装置、２６０…色分離光学系、２７０…液晶ライトバルブ、２８０…色合成光学系、２９０…投写レンズ、３００…スクリーン。
【図１】
2006109035.tif 000003
【図２】
2006109035.tif 000004
【図３】
2006109035.tif 000005
【図４】
2006109035.tif 000006
【図５】
2006109035.tif 000007
【図６】
2006109035.tif 000008